(57)【要約】【課題】長靴着用時に、容易に裾が接地することを防止することができる接地防止機能付きズボンを提供する。【解決手段】ズボン１０の膝下部位１１の内壁面に、管状部材１２の上端が接続部１３により接続され、管状部材１２が吊り下げられていることによって、膝下部位１１と管状部１２との間の股部分が、長靴１００の上端１０１に引っかかって、ズボン１０が着用者の腰からずり落ち、裾が接地することを防ぐことができる。更に、ズボンの膝下部位１１の内壁面および管状部材１２の外壁面に雌雄をなす係合部２１ａ、２１ｂ等を備えることにより、膝下部位１１および管状部材１２の長さを任意に変えることもでき、様々な場合においても、裾が接地することを防止することができる。【選択図】図１
2015145549.tif 000002
【特許請求の範囲】
【請求項１】
ズボンの膝下部位の内壁面に、管状部材の上端が接続部により接続され、当該管状部材が吊り下げられていることを特徴とする裾接地防止機能付きズボン。
【請求項２】
前記ズボンの膝下部位の内壁面が、長手方向および短手方向適当間隔おきに、雌雄をなす係合部の一方を備え、かつ、前記管状部材の外壁面に、前記内壁面の前記雌雄をなす係合部の一方と向かいあうように、当該雌雄をなす係合部の他方を備えることを特徴とする請求項１に記載の裾接地防止機能付きズボン。
【請求項３】
前記ズボンの膝下部位の内壁面が、雌雄をなす面状ファスナーの一方を、当該内壁面に沿ってループ状に、長手方向適当間隔おきに備え、かつ、前記管状部材の外壁面に、前記内壁面の前記雌雄をなす面状ファスナーの一方と向かいあうように、当該雌雄をなす係合部の他方を、前記外壁面に沿ってループ状に備えることを特徴とする請求項１に記載の裾接地防止機能付きズボン。
【請求項４】
前記ズボンが、雨合羽のズボンであることを特徴とする請求項１から請求項３のいずれかに記載の裾接地防止機能付きズボン。
【発明の詳細な説明】
【技術分野】
【０００１】
本発明は、長靴着用時に、裾が接地することを防止することができるズボンに関する。
【背景技術】
【０００２】
雨合羽のズボン等の作業用のズボンは、大体長めに作られていることが多い。そのため、多くの人が、そのまま着用すると、裾が接地してしまう。そのため、裾が接地しないように、裾をまくることで長さ調整を行うのが一般的である。しかしながら、降水時や水場では、裾のまくった部分に水が入り込んで裾が重くなることで、ズボンが着用者の腰からずり落ちて、結局は裾が接地してしまうという問題点があった。また、長靴とズボンの裾との間に空間があるために、降水時や水場では、水が浸入していくという問題点もあった。
【０００３】
そこで、合羽ズボンと長靴とを一体化させることで、裾が接地することや長靴内に水が浸入してくることを防ぐ技術が提案されている（例えば、特許文献１参照）。また、ズボンの内側生地の一部を環状のゴム等の弾性体にすることで、環状のゴム等の弾性体が足にフィットして留まることで、ズボンの裾が下がってズボンの裾が接地ことを防止する技術が提案されている（例えば、特許文献２参照）。
【先行技術文献】
【特許文献】
【０００４】
【特許文献１】特開２０１３−２２７６９０号公報
【特許文献２】特開２００２−２１２８０７号公報
【発明の概要】
【発明が解決しようとする課題】
【０００５】
しかしながら、特許文献１の技術では、長靴にファスナーが設けられていなければならず、合羽ズボンと合体できる長靴は限られてしまうという問題点があった。また、特許文献２の技術では、長靴はビニール製が多くゴムが滑りやすいこと、長靴は筒状に近い形状であること等から、環状のゴム等の弾性体は長靴にフィットしにくく、同じ場所に留まりにくいという問題点があった。
【０００６】
そこで、上記課題に鑑みて、本発明では、長靴着用時に、容易に裾が接地することを防止することができる接地防止機能付きズボンを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）  本発明は、ズボンの膝下部位の内壁面に、管状部材の上端が接続部により接続され、当該管状部材が吊り下げられていることを特徴とする裾接地防止機能付きズボンを提案している。
【０００９】
（２）  本発明は、（１）の裾接地防止機能付きズボンについて、前記ズボンの膝下部位の内壁面が、長手方向および短手方向適当間隔おきに、雌雄をなす係合部の一方を備え、かつ、前記管状部材の外壁面に、前記内壁面の前記雌雄をなす係合部の一方と向かいあうように、当該雌雄をなす係合部の他方を備えることを特徴とする裾接地防止機能付きズボンを提案している。
【００１０】
（３）  本発明は、（１）の裾接地防止機能付きズボンについて、前記ズボンの膝下部位の内壁面が、雌雄をなす面状ファスナーの一方を、当該内壁面に沿ってループ状に、長手方向適当間隔おきに備え、かつ、前記管状部材の外壁面に、前記内壁面の前記雌雄をなす面状ファスナーの一方と向かいあうように、当該雌雄をなす係合部の他方を、前記外壁面に沿ってループ状に備えることを特徴とする裾接地防止機能付きズボンを提案している。
【００１１】
（４）  本発明は、（１）から（３）の裾接地防止機能付きズボンについて、前記ズボンが、雨合羽のズボンであることを特徴とする裾接地防止機能付きズボンを提案している。
【発明の効果】
【００１２】
本発明によれば、長靴着用時に、容易に裾が接地することを防止することができる接地防止機能付きズボンを提供することができる。
【図面の簡単な説明】
【００１３】
【図１】本発明に係る裾接地防止機能付きズボンの使用状態を示す斜視図である。
【図２】本発明に係る裾接地防止機能付きズボンの縦断面図である。
【図３】本発明に係る裾接地防止機能付きズボンの横断面図である。
【図４】本発明に係る裾接地防止機能付きズボンの使用例を示す縦断面図である。
【図５】本発明に係る裾接地防止機能付きズボンの使用例を示す縦断面図である。
【図６】本発明に係る裾接地防止機能付きズボンの使用例を示す縦断面図である。
【発明を実施するための形態】
【００１４】
以下、図面を用いて、本発明の実施形態について詳細に説明する。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００１５】
図１は、本発明に係る裾接地防止機能付きズボン１０（以下、簡略化のためズボン１０という）の使用状態を示す斜視図である。本発明において、ズボン１０は、長靴やブーツといった筒が長い靴を着用する際に履くズボンであって、特に、雨合羽のズボンであるのが望ましい。雨合羽のズボンは、防水性を有する為に滑りやすい生地でできているために、通常のズボンよりも、腰からずり落ちて、結局は裾が接地してしまいやすいからである。
【００１６】
ズボン１０は、ズボンの膝下部位１１の内壁面に、管状部材１２が接続部１３により吊り下げられている。具体的には、管状部材１２は、上端が膝下部位１１の内壁面と縫着等により接続されて吊り下げられていて、下端は開放されている。ここで、接続部１３は、管状部材１２の上端とズボンの膝下部位１１の内壁面との接続部分を指す。管状部材１２の材質は、任意であるが、滑りにくい素材であることが望ましい。
【００１７】
ズボン１０は、膝下部位１１を長靴１００の外側に出し、管状部材１２を長靴１００の内側に入れて使用する。それにより、接続部１３によって膝下部位１１と管状部１２とを接続することによりできた、膝下部位１１と管状部１２との間の股部分が、長靴１００の上端１０１に引っかかって、ズボン１０が着用者の腰からずり落ち、裾が接地することを防ぐことができる。また、膝下部位１１と管状部１２との間の股部分が、長靴１００の上端１０１に引っかかることにより、長靴１００の内部に水が浸入してくることも防ぐことができる。
【００１８】
管状部材１２は、長靴１００の内側に入れて使用するので、長靴内で邪魔にならないように、接続部１３からズボンの膝下部位１１の下端までの長さよりも短いことが望ましい。
【００１９】
膝下部位１１と管状部材１２との間の股部分に、すなわち、接続部１３の下にある、ズボンの膝下部位１１の内壁面と管状部材１２の外壁面との間に、Ｕ字型部材を備えてもよい。それにより、形状が固定されているＵ字型部材が長靴１００の上端１０１にはまることで、より膝下部位１１と管状部材１２との間の股部分が長靴１００の上端１０１からずれにくくすることができる。更に、Ｕ字型部材が下方へ向かってすぼまっている形状であれば、Ｕ字型部材が長靴１００の上端１０１に固定され、膝下部位１１と管状部材１２との間の股部分が長靴１００の上端１０１からよりずれにくくすることができる。
【００２０】
図２は、本発明に係るズボン１０の縦断面図である。（ａ）は、ズボン１０の片足部分を下方から見た図であって、（ｂ）の断面図の切断線を示す。（ｂ）は（ａ）に示した切断Ａ−Ａ線の断面図を示す。
【００２１】
（ｂ）に示すように、膝下部位１１の内壁面および管状部材１２の外壁面には、長手方向適当間隔に、向かい合って、雌雄をなす係合部２１ａ、２１ｂ、２２ａ、２２ｂ、３１ａ、３１ｂ、３２ａ、３２ｂ、４１ａ、４１ｂ、４２ａ、４２ｂを備える。例えば、係合部２１ａ、２２ａ、３１ａ、４１ａが雌係合部であれば、係合部２１ｂ、２２ｂ、３１ｂ、４１ｂは雄係合部である。
【００２２】
係合部２１ａ、２１ｂ、２２ａ、２２ｂ、３１ａ、３１ｂ、３２ａ、３２ｂ、４１ａ、４１ｂ、４２ａ、４２ｂは、例えば、ボタン、カギ型フック、ファスナー等である。なお、図には、長手方向に、係合部を３つ備えているが、２つや４つ等任意の数備えることができる。
【００２３】
係合部２１ａは、向かい合う管状部材１２の外壁面に備えられている係合部２１ｂ、３１ｂ、４１ｂに係脱可能に係合することができる。他の係合部についても同様である。係合する係合部の組み合わせを換えることにより、膝下部位１１および管状部材１２の長さや、膝下部位１１と管状部材１２との間の股部分の裾からの位置を変えることができる。詳細については、後述する。
【００２４】
図３は、本発明に係るズボン１０の横断面図である。（ａ）は、ズボン１０の片足部分を斜視図であって、（ｂ）の断面図の切断線を示す。（ｂ）は（ａ）に示した切断線Ｂ−Ｂの断面図を示す。
【００２５】
（ｂ）に示すように、膝下部位１１の内壁面および管状部材１２の外壁面には、短手方向適当間隔に、向かい合って、雌雄をなす係合部２１ａｂ、２２ａｂ、２３ａｂ、２４ａｂを備える。例えば、係合部２１ａ、２２ａ、２３ａ、２４ａが雌係合部であれば、係合部２１ｂ、２２ｂ、２３ｂ、２４ｂは雄係合部である。なお、図には、短手方向に、係合部を４つ備えているが、２つや３つ等任意の数備えることができる。
【００２６】
また、係合部が雌雄をなす面状ファスナーである場合には、膝下部位１１の内壁面および管状部材１２の外壁面沿って、向かい合って、ループ状に係合部を備えることもできる。
【００２７】
図４から図６を用いて、図２および図３に示した本発明に係るズボン１０の係合する係合部の組み合わせを換えた場合の使用例について説明する。なお、係合する係合部の組み合わせは、長手方向に向かい合う係合部の組み合わせである。
【００２８】
図４は、本発明に係るズボン１０の使用例の一例を示す縦断面図である。図４では、係合部３１ａと３１ｂ（以下、３１ａｂという。なお、同様に係合部のａとｂとを係合すると、係合部（数字）ａｂという）、および係合部３２ａと３２ｂ（係合部３２ａｂ）とを係合した場合の図である。なお、図３に示したように、係合部３１ａおよび３１ｂの短手方向に係合部がある場合には、図４には示されていないがそれらも係合している。
【００２９】
図に示すように、係合部３１および係合部３２それぞれが係合したことによりできる、膝下部位１１と管状部材１２との間の股部分の位置が、接続部１３よりも裾に近い位置となる。それにより、筒が短い長靴１１０の上端１１１にも、膝下部位１１と管状部材１２との間の股部分を合わせることが可能となる。
【００３０】
同様に、係合部２１ａｂと係合部２２ａｂとを係合したり、係合部４１ａｂと係合部４２ａｂとを係合したりすることで、それぞれが係合したことによりできる、膝下部位１１と管状部材１２との間の股部分の裾からの位置を変化させることが可能となる。その結果、いろいろな筒の長さの長靴にも対応することが可能となる。
【００３１】
図５は、本発明に係るズボン１０の使用例の一例を示す縦断面図である。図５では、係合部２１ａと４１ｂ、係合部２２ａと４２ｂとを係合した場合の図である。なお、図３に示したように、係合部２１ａおよび２２ａの短手方向、係合部２２ａおよび４２ａの短手方向に係合部がある場合には、図５には示されていないがそれらも係合している。
【００３２】
係合部２１ａと係合部４１ｂ、および係合部２２ａと係合部４２ｂとを係合した場合には、管状部材１２を図に示すように折り畳んで長さを短くすることができる。それにより、長靴１２０の内側に入る管状部材１２を短くすることができ、長靴内で邪魔にならないようにすることができる。
【００３３】
別の形態として、管状部材１２が、管状部材１２の内壁面上部に短手方向に複数の雌雄をなす係合部の一方を備え、同じく内壁面の雌雄をなす係合部の一方の下部に、長手方向に雌雄をなす係合部の他方を短手方向に複数備えることでも、雌雄の係合部を係合することにより、管状部材１２を折り畳んで、長靴の内側に入る管状部１２の長さを調節することができる。なお、管状部材１２は、雄をなす係合部の他方を、長手方向に複数備えてもよい。
【００３４】
図６は、本発明に係るズボン１０の使用例の一例を示す縦断面図である。図６では、係合部４１ａと２１ｂ、係合部４２ａと２２ｂとを係合した場合の図である。なお、図３に示したように、係合部４１ａおよび４２ａの短手方向、係合部２１ｂおよび２２ｂの短手方向に係合部がある場合には、図６には示されていないがそれらも係合している。
【００３５】
係合部４１ａと２１ｂ、および係合部４２ａと２２ｂとを係合した場合には、膝下部位１１を図に示すように折りたたんで長さを短くすることができる。それにより、長靴１３０の外側にでる膝下部位１１の長さを短くすることができ、ズボン１０の裾の地面からの高さを変えることができる。
【００３６】
以上、説明したように、本発明によれば、ズボンの膝下部位に管状部材を取り付けることで、長靴着用時に、容易に裾が接地することを防止することができる接地防止機能付きズボンを提供することができる。また、ズボンの膝下部位の内壁面および管状部材の外壁面に雌雄をなす係合部を備えることにより、膝下部位および管状部材の長さを任意に変えることができる。その結果、いろいろな筒の長さの長靴においても、いろいろな足の長さの人においても、裾が接地することを防止することができる。
【００３７】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００３８】
１０；裾接地防止機能付きズボン
１１；ズボン膝下部位
１２；管状部材
１３；接続部
２１ａ，２１ｂ，２２ａ，２２ｂ，３１ａ，３１ｂ，３２ａ，３２ｂ，４１ａ，４１ｂ，４２ａ，４２ｂ；係合部
１００，１１０，１２０，１３０；長靴
１０１，１１１，１２１，１３１；長靴上端
【図１】
2015145549.tif 000003
【図２】
2015145549.tif 000004
【図３】
2015145549.tif 000005
【図４】
2015145549.tif 000006
【図５】
2015145549.tif 000007
【図６】
2015145549.tif 000008